【事件の表示】
　特願２０１５−　６９６５８「遊技機」拒絶査定不服審判事件〔平成２８年１１月　４日出願公開、特開２０１６−１８７５１８〕について、次のとおり審決する。
【結　論】
　本件審判の請求は、成り立たない。
【理　由】
第１　手続の経緯
　本願は、平成２７年３月３０日の出願であって、平成２８年３月２日付けで拒絶の理由が通知され、平成２８年４月１９日に意見書及び手続補正書が提出され、平成２８年１０月１３日付けで最後の拒絶の理由が通知され、平成２８年１２月８日に意見書及び手続補正書が提出されたところ、平成２９年１月２０日付け（発送日：１月３１日）で、平成２８年１２月８日付け手続補正が却下されるとともに拒絶査定がなされ、それに対して、平成２９年４月２１日に拒絶査定不服審判の請求がなされると同時に手続補正がなされ、これに対し、当審において、平成２９年１０月１９日付けで拒絶の理由が通知され、平成２９年１２月１３日に意見書及び手続補正書が提出され、平成３０年１月９日付けで最後の拒絶の理由が通知され、平成３０年３月５日に意見書及び手続補正書が提出されたものである。
第２　平成３０年３月５日付けの手続補正についての補正却下の決定
［補正却下の決定の結論］
　平成３０年３月５日付けの手続補正（以下「本件補正」という。）を却下する。
［理由］
１　本件補正の概要
　本件補正は、特許請求の範囲の請求項１を補正する内容を含んでおり、本件補正により、特許請求の範囲の請求項１は、平成２９年１２月１３日付けの手続補正書における、
「【請求項１】
　始動条件の成立を契機に、始動情報を取得する始動情報取得手段と、前記始動情報取得手段により前記始動情報を取得した後、判定条件が成立したことを契機に、当該始動情報に基づいて遊技者に有利な特別遊技を実行するか否かの特別遊技判定を行う特別遊技判定手段とを備えるメイン制御手段と、
　前記メイン制御手段からの制御情報に基づいて、画像表示装置において変動演出を実行するサブ制御手段と、を備える遊技機において、
　前記メイン制御手段は、
　前記始動条件が成立したが前記判定条件が成立していない場合は、前記始動情報取得手段により取得された前記始動情報を保留記憶として所定数まで記憶する第１保留記憶手段と、
　前記第１保留記憶手段に記憶されている前記保留記憶の数を保留記憶数情報として前記サブ制御手段に送信する保留記憶数情報送信手段と、をさらに備え、
　前記第１保留記憶手段に記憶されている前記保留記憶の数に対応する保留表示を第１保留表示装置に表示させ、
　前記サブ制御手段は、
　前記保留記憶数情報送信手段により送信された前記保留記憶数情報が示す前記保留記憶の数を記憶する第２保留記憶手段と、をさらに備え、
　前記第２保留記憶手段に記憶されている前記保留記憶の数に対応する保留表示を第２保留表示装置及び前記画像表示装置に表示させ、
　前記変動演出において、前記特別遊技判定の判定結果が前記特別遊技を実行するとの判定結果である可能性があることを示唆する第１リーチ演出と、当該第１リーチ演出よりも前記特別遊技判定の判定結果が前記特別遊技を実行するとの判定結果である可能性が高いことを示唆する第２リーチ演出を実行可能であり、
　前記変動演出において前記第２リーチ演出が行われる場合、当該第２リーチ演出が行われているときは前記画像表示装置に表示させている前記保留表示の表示を規制し、
　前記変動演出において前記第１リーチ演出が行われる場合、当該第１リーチ演出が行われているときは前記画像表示装置に表示させている前記保留表示の表示を規制せず、
　前記画像表示装置に表示させている前記保留表示を前記特別遊技判定の判定結果が前記特別遊技を実行するとの判定結果である可能性があることを示唆する特定表示態様に変化することがある一方、
　前記画像表示装置に表示させている前記保留表示を前記特定表示態様に変化させた場合であっても、前記第２保留表示装置に表示させている前記保留表示の表示態様は変化させることがなく、
　バックアップ電源が供給されている前記第１保留記憶手段に前記保留記憶が記憶されているときに前記遊技機への電力の供給が停止されてから当該遊技機への電力の供給が再開された場合、前記メイン制御手段によって前記第１保留表示装置に前記保留表示が表示された後に、前記保留表示を前記画像表示装置に表示させる、
　ことを特徴とする遊技機。」
から、平成３０年３月５日付けの手続補正書における、
「【請求項１】
Ａ　始動条件の成立を契機に、始動情報を取得する始動情報取得手段と、前記始動情報取得手段により前記始動情報を取得した後、判定条件が成立したことを契機に、当該始動情報に基づいて遊技者に有利な特別遊技を実行するか否かの特別遊技判定を行う特別遊技判定手段とを備えるメイン制御手段と、
Ｂ　前記メイン制御手段からの制御情報に基づいて、画像表示装置において変動演出を実行するサブ制御手段と、を備える遊技機において、
Ｃ　前記メイン制御手段は、
　前記始動条件が成立したが前記判定条件が成立していない場合は、前記始動情報取得手段により取得された前記始動情報を保留記憶として所定数まで記憶する第１保留記憶手段と、
Ｄ　前記第１保留記憶手段に記憶されている前記保留記憶の数を保留記憶数情報として前記サブ制御手段に送信する保留記憶数情報送信手段と、をさらに備え、
Ｅ　前記第１保留記憶手段に記憶されている前記保留記憶の数に対応する保留表示を第１保留表示装置に表示させ、
Ｆ　前記サブ制御手段は、
　前記保留記憶数情報送信手段により送信された前記保留記憶数情報が示す前記保留記憶の数を記憶する第２保留記憶手段と、をさらに備え、
Ｇ　前記第２保留記憶手段に記憶されている前記保留記憶の数に対応する保留表示を第２保留表示装置及び前記画像表示装置に表示させ、
Ｈ　前記変動演出において、前記特別遊技判定の判定結果が前記特別遊技を実行するとの判定結果である可能性があることを示唆する第１リーチ演出と、当該第１リーチ演出よりも前記特別遊技判定の判定結果が前記特別遊技を実行するとの判定結果である可能性が高いことを示唆する第２リーチ演出を実行可能であり、
Ｉ　前記変動演出において前記第２リーチ演出が行わ
れて
するが
前記第２保留表示装置に表示させている前記保留表示の表示を規制しない一方、
Ｊ　前記変動演出において前記第１リーチ演出が行わ
れて
及び前記第２保留表示装置
Ｋ　前記画像表示装置に表示させている前記保留表示を前記特別遊技判定の判定結果が前記特別遊技を実行するとの判定結果である可能性があることを示唆する特定表示態様に変化することがある一方、
Ｌ　前記画像表示装置に表示させている前記保留表示を前記特定表示態様に変化させた場合であっても、前記第２保留表示装置に表示させている前記保留表示の表示態様は変化させることがなく、
Ｍ　バックアップ電源が供給されている前記第１保留記憶手段に前記保留記憶が記憶されているときに前記遊技機への電力の供給が停止されてから当該遊技機への電力の供給が再開された場合、前記メイン制御手段によって前記第１保留表示装置に前記保留表示が表示された後に、前記保留表示を前記画像表示装置に表示させる、
　ことを特徴とする遊技機。」
に補正された（下線部は補正箇所を示す。また、Ａ〜Ｍは、分説するために当審にて付した。）。
２　補正の適否
　本件補正は、補正前の請求項１に記載した発明を特定するために必要な事項である「前記変動演出において前記第２リーチ演出が行われる場合、当該第２リーチ演出が行われているときは前記画像表示装置に表示させている前記保留表示の表示を規制」するとの事項を、「前記第２リーチ演出が行われているときは」「前記第２保留表示装置に表示させている前記保留表示の表示を規制しない」点を限定して、「前記変動演出において前記第２リーチ演出が行われているときは前記画像表示装置に表示させている前記保留表示の表示を規制するが、前記第２保留表示装置に表示させている前記保留表示の表示を規制しない」とするとともに、補正前の請求項１に記載した発明を特定するために必要な事項である「前記変動演出において前記第１リーチ演出が行われる場合、当該第１リーチ演出が行われているときは前記画像表示装置に表示させている前記保留表示の表示を規制」しないとの事項を、「前記第１リーチ演出が行われているときは」「前記第２保留表示装置に表示させている前記保留表示の表示を規制」しない点を限定して「前記変動演出において前記第１リーチ演出が行われているときは前記画像表示装置及び前記第２保留表示装置に表示させている前記保留表示の表示を規制」しないとしたものである。
　また、補正前の請求項１に記載された発明と補正後の請求項１に記載される発明の産業上の利用分野及び解決しようとする課題は同一である。
　したがって、本件補正は、特許法第１７条の２第５項第２号の特許請求の範囲の減縮を目的とするものに該当する。
　そして、本件補正は、新規事項を追加するものではない。
３　独立特許要件について
　本件補正後の請求項１に記載された発明（以下「本願補正発明」という。）が特許出願の際独立して特許を受けることができるものであるか（特許法第１７条の２第６項において準用する同法第１２６条第７項の規定に適合するか）について以下に検討する。
（１）本願補正発明
　本願補正発明は、上記１の本件補正の概要において示したとおりのものである。
（２）刊行物
（２−１）刊行物１に記載された発明
　平成３０年１月９日付け拒絶理由通知に刊行物１として引用され、本願の出願日前に頒布された刊行物である特開２０１５−１７２号公報（以下「刊行物１」という。）には、図面とともに以下の事項が記載されている（下線は当審で付した。以下同じ。）。 
（１−ａ）　「【００１５】
　図１は、本発明の実施の形態における遊技機を適用して構成した遊技機１の装置構成図の一例であって、図２は、本発明のガラス枠を開放させた状態の
遊技機１
（１−ｂ）　「【００３７】
　
第１液晶表示装置３１には、
【００３８】
　より具体的には、第１始動口１４または第２始動口１５に遊技球が入球したときには、
３個の演出図柄３８をそれぞれスクロール表示（回転表示）による変動表示を行う
（１−ｃ）　「【００５４】
　より詳細には、第１始動口１４に遊技球が入球したときに取得された
特別図柄判定用乱数値を第１保留として記憶し
【００５５】
　これら両保留（第１保留および第２保留）は、それぞれ上限保留個数を４個に設定し、
その保留個数は、それぞれ第１特別図柄保留表示器２３と第２特別図柄保留表示器２４とに表示される。
（１−ｄ）　「【００７６】
　図４に示すように、第１特別図柄表示装置２０、第２特別図柄表示装置２１、普通図柄表示装置２２、
第１特別図柄保留表示器２３
は、何れも主制御基板１１０に接続される。
　また、第１特別図柄表示装置５０、第２特別図柄表示装置５１、普通図柄表示装置５２、第１特別図柄保留表示器５３、第２特別図柄保留表示器５４、普通図柄保留表示器５５、右打ち表示器５６は、何れも演出制御基板１２０に接続される。
・・・
【００７８】
　このように、遊技機１は、
主制御基板１１０で管理するＬＥＤ（
第１特別図柄保留表示器２３
の点灯タイミングと同期させて、演出制御基板１２０の管理によるＬＥＤ（
第１特別図柄保留表示器５３
を点灯させる。
（１−ｅ）　「【０１８８】
　例えば、
演出制御基板１２０におけるサブＣＰＵ１２０ａは、主制御基板１１０から特別図柄の変動態様を示す変動パターン指定コマンドを受信すると、受信した変動パターン指定コマンドの内容を解析して、第１液晶表示装置３１、音声出力装置３２、演出用駆動装置３３、演出用照明装置３４、第２液晶表示装置３７に所定の演出を実行させるためのデータ（後述する演出パターン指定コマンド等）を特定する。
（１−ｆ）　「【０３７８】
　図１９は、本実施の形態における遊技機１の
主制御基板１１０で行われるタイマ割込処理の詳細な流れを示すフローチャート
・・・
【０３８８】
　さらに、
第１始動口検出スイッチ１４ａから検出信号を入力した場合には、第１特別図柄保留数（Ｕ１）記憶領域にセットされているデータが４未満であれば、
特別図柄判定用乱数値
を取得して、取得した各種乱数値を第１特別図柄乱数値記憶領域にある所定の記憶部（第０記憶部〜第４記憶部）に記憶する。
（１−ｇ）　「【０４０８】
　図２０は、本実施の形態における遊技機１の主制御基板１１０で行われる特図特電制御処理の詳細な流れを示すフローチャートの一例である。
・・・
【０４１０】
　このとき、
特図特電処理データが「０（ゼロ）」であれば、主制御基板１１０は、特別図柄記憶判定処理を行い（Ｓ２００３）
（１−ｈ）　「【０４１４】
　図２１は、本実施の形態における遊技機１の
主制御基板１１０で行われる特別図柄記憶判定処理の詳細な流れを示すフローチャート
・・・
【０４１９】
　また、第２特別図柄保留数（Ｕ２）記憶領域に１以上のデータがセットされておらず、第１特別図柄保留数（Ｕ１）記憶領域に１以上のデータがセットされている場合には、第１特別図柄保留数（Ｕ１）記憶領域に記憶されている値から１を減算した後、第１特別図柄乱数値記憶領域にある第１記憶部〜第４記憶部に記憶された各種乱数値を１つ前の記憶部にシフトさせる。このときにも、既に第０記憶部に書き込まれていた各種乱数値は上書きされて消去されることとなる。そして、
第１特別図柄乱数値記憶領域の第０記憶部に記憶された特別図柄判定用乱数値が「大当たり」に対応する乱数値であるか、「小当たり」に対応する乱数値であるかの判定を行う。
（１−ｉ）　「【０４４９】
　図２３は、本実施の形態における遊技機１の演出制御基板１２０で行われるタイマ割込処理の詳細な流れを示すフローチャートの一例である。
・・・
【０４５３】
　このコマンド解析処理において、サブＣＰＵ１２０ａは、サブＲＡＭ１２０ｃの受信バッファに格納されているコマンドを解析する処理を行う。コマンド解析処理の具体的な説明は、図２４および図２５を用いて後述する。なお、
演出制御基板１２０は、主制御基板１１０から送信されたコマンドを受信すると、
（１−ｊ）　「 【０４５６】
　図２４は、本実施の形態における遊技機１の
演出制御基板１２０で行われるコマンド解析処理の詳細な流れを示すフローチャート
・・・
【０４６２】
　
受信バッファに格納されているコマンドが特別図柄記憶指定コマンドであれば（Ｓ２４０４でＹＥＳ）、その特別図柄記憶指定コマンドを解析して第１液晶表示装置３１及び／又は第２液晶表示装置３７に表示させる特図保留画像の表示個数を決定する
・・・
【０４６８】
　
受信バッファに格納されているコマンドが変動パターン指定コマンドであれば（Ｓ２４０９でＹＥＳ）、サブＣＰＵ１２０ａは、
複数の変動演出パターンの中から１つの変動演出パターンを決定する
【０４６９】
　その後、
かかる演出パターンに基づいて、第１液晶表示装置３１、音声出力装置３２、装飾装置３３ａ、演出用照明装置３４、第２液晶表示装置３７が制御されることになる。なお、ここで決定した変動演出パターンに基づいて、演出図柄３８の変動態様が決定されることとなる。
　上記（１−ａ）〜（１−ｊ）の記載事項及び図面から、以下（１−ｋ）〜（１−ｎ）の事項が導かれる。
（１−ｋ）刊行物１には、「主制御基板１１０で行われるタイマ割込処理の詳細な流れを示すフローチャート」（段落【０３７８】）、「第１始動口検出スイッチ１４ａから検出信号を入力した場合には、第１特別図柄保留数（Ｕ１）記憶領域にセットされているデータが４未満であれば、・・・特別図柄判定用乱数値・・・を取得して、取得した各種乱数値を第１特別図柄乱数値記憶領域にある所定の記憶部（第０記憶部〜第４記憶部）に記憶する。」（段落【０３８８】）と記載されているから、刊行物１には、第１始動口検出スイッチ１４ａから検出信号を入力した場合に、第１特別図柄保留数（Ｕ１）記憶領域にセットされているデータが４未満であれば、特別図柄判定用乱数値を取得して第１特別図柄乱数値記憶領域の第０記憶部〜第４記憶部に記憶する主制御基板１１０が記載されているといえる。
　また、刊行物１には、「特図特電処理データが「０（ゼロ）」であれば、主制御基板１１０は、特別図柄記憶判定処理を行い（Ｓ２００３）」（段落【０４１０】）、「主制御基板１１０で行われる特別図柄記憶判定処理の詳細な流れを示すフローチャート」（段落【０４１４】）、「第１特別図柄乱数値記憶領域にある第１記憶部〜第４記憶部に記憶された各種乱数値を１つ前の記憶部にシフトさせる。・・・第１特別図柄乱数値記憶領域の第０記憶部に記憶された特別図柄判定用乱数値が「大当たり」に対応する乱数値であるか、「小当たり」に対応する乱数値であるかの判定を行う。」（段落【０４１９】）と記載されているから、刊行物１には、主制御基板１１０は、特図特電処理データが「０」であれば、特別図柄記憶判定処理において、第１記憶部〜第４記憶部に記憶された特別図柄判定用乱数値を１つ前の記憶部にシフトさせ、第０記憶部に記憶された特別図柄判定用乱数値が「大当たり」に対応する乱数値であるかの判定を行う点が記載されているといえる。
　以上より、刊行物１には、
第１始動口検出スイッチ１４ａから検出信号を入力した場合に、第１特別図柄保留数（Ｕ１）記憶領域にセットされているデータが４未満であれば、特別図柄判定用乱数値を取得して第１特別図柄乱数値記憶領域の第０記憶部〜第４記憶部に記憶し、特図特電処理データが「０」であれば、特別図柄記憶判定処理において、第１記憶部〜第４記憶部に記憶された特別図柄判定用乱数値を１つ前の記憶部にシフトさせ、第０記憶部に記憶された特別図柄判定用乱数値が「大当たり」に対応する乱数値であるかの判定を行う主制御基板１１０
（１−ｌ）刊行物１には、「演出制御基板１２０におけるサブＣＰＵ１２０ａは、主制御基板１１０から特別図柄の変動態様を示す変動パターン指定コマンドを受信すると、受信した変動パターン指定コマンドの内容を解析して、第１液晶表示装置３１、音声出力装置３２、演出用駆動装置３３、演出用照明装置３４、第２液晶表示装置３７に所定の演出を実行させるためのデータ（後述する演出パターン指定コマンド等）を特定する。」（段落【０１８８】）、「演出制御基板１２０で行われるコマンド解析処理の詳細な流れを示すフローチャート」（段落【０４５６】）、「受信バッファに格納されているコマンドが変動パターン指定コマンドであれば（Ｓ２４０９でＹＥＳ）、サブＣＰＵ１２０ａは、・・・複数の変動演出パターンの中から１つの変動演出パターンを決定する」（段落【０４６８】）、「かかる演出パターンに基づいて、第１液晶表示装置３１、音声出力装置３２、装飾装置３３ａ、演出用照明装置３４、第２液晶表示装置３７が制御されることになる。なお、ここで決定した変動演出パターンに基づいて、演出図柄３８の変動態様が決定されることとなる。」（段落【０４６９】）と記載されているから、刊行物１には、主制御基板１１０から受信した特別図柄の変動態様を示す変動パターン指定コマンドの内容を解析して変動演出パターンを決定し、変動演出パターンに基づいて演出図柄３８の変動態様を決定し、第１液晶表示装置３１を制御する演出制御基板１２０が記載されているといえる。
　また、刊行物１には、「第１液晶表示装置３１には」（段落【００３７】）「３個の演出図柄３８をそれぞれスクロール表示（回転表示）による変動表示を行う」（段落【００３８】）と記載されているから、刊行物１の第１液晶表示装置３１は、演出図柄３８の変動表示を行うものといえる。
　以上より、刊行物１には、
主制御基板１１０から受信した特別図柄の変動態様を示す変動パターン指定コマンドの内容を解析して変動演出パターンを決定し、変動演出パターンに基づいて演出図柄３８の変動態様を決定し、演出図柄３８の変動表示を行う第１液晶表示装置３１を制御する演出制御基板１２０
（１−ｍ）刊行物１には、「特別図柄判定用乱数値を第１保留として記憶し」（段落【００５４】）、「その保留個数は、それぞれ第１特別図柄保留表示器２３と第２特別図柄保留表示器２４とに表示される。」（段落【００５５】）と記載されているから、刊行物１には、記憶された特別図柄判定用乱数値である第１保留の保留個数を、第１特別図柄保留表示器２３に表示させる点が記載されているといえる。
　また、刊行物１には、「第１特別図柄保留表示器２３・・・は、何れも主制御基板１１０に接続される。」（段落【００７６】）、「主制御基板１１０で管理するＬＥＤ（・・・第１特別図柄保留表示器２３」（段落【００７８】）と記載されているから、主制御基板１１０が保留個数の第１特別図柄保留表示器２３への表示を行うことは、明らかである。
　以上より、刊行物１には、
主制御基板１１０は、記憶された特別図柄判定用乱数値である第１保留の保留個数を、第１特別図柄保留表示器２３に表示させる
（１−ｎ）図１には、５３の符号が付された長円と、その内部の２つの円が図示されている。また、刊行物１には、「演出制御基板１２０の管理によるＬＥＤ（・・・第１特別図柄保留表示器５３」（段落【００７８】）と記載されているから、図１の上記５３の符号が付された長円が第１特別図柄保留表示器５３であり、その内部の２つの円が、第１特別図柄保留表示器５３を構成する２つのＬＥＤを示すことは、明らかである。
　以上より、刊行物１には、
２つのＬＥＤからなる第１特別図柄保留表示器５３
　上記（１−ａ）〜（１−ｊ）の記載事項及び（１−ｋ）〜（１−ｎ）の認定事項を総合すると、刊行物１には、次の発明（以下「刊行物１発明」という。）が記載されていると認められる。（ａ〜ｇは、本願補正発明のＡ〜Ｇに対応させて付した。）
「ａ　第１始動口検出スイッチ１４ａから検出信号を入力した場合に、第１特別図柄保留数（Ｕ１）記憶領域にセットされているデータが４未満であれば、特別図柄判定用乱数値を取得して第１特別図柄乱数値記憶領域の第０記憶部〜第４記憶部に記憶し、特図特電処理データが「０」であれば、特別図柄記憶判定処理において、第１記憶部〜第４記憶部に記憶された特別図柄判定用乱数値を１つ前の記憶部にシフトさせ、第０記憶部に記憶された特別図柄判定用乱数値が「大当たり」に対応する乱数値であるかの判定を行う主制御基板１１０と、（認定事項（１−ｋ））
ｂ　主制御基板１１０から受信した特別図柄の変動態様を示す変動パターン指定コマンドの内容を解析して変動演出パターンを決定し、変動演出パターンに基づいて演出図柄３８の変動態様を決定し、演出図柄３８の変動表示を行う第１液晶表示装置３１を制御する演出制御基板１２０と、を備える遊技機１において、（段落【００１５】、認定事項（１−ｌ））
ｃ　主制御基板１１０は、
　第１始動口検出スイッチ１４ａから検出信号を入力した場合に、第１特別図柄保留数（Ｕ１）記憶領域にセットされているデータが４未満であれば、取得した特別図柄判定用乱数値を記憶する第１特別図柄乱数値記憶領域と、（段落【０３７８】、【０３８８】）
ｄ　演出制御基板１２０が解析して第１液晶表示装置３１に表示させる特図保留画像の表示個数を決定するための特別図柄記憶指定コマンドを演出制御基板１２０に送信する機能と、をさらに備え、（段落【０４５３】、【０４６２】）
ｅ　記憶された特別図柄判定用乱数値である第１保留の保留個数を、第１特別図柄保留表示器２３に表示させ、（認定事項（１−ｍ））
ｆ　演出制御基板１２０は、
　主制御基板１１０から送信された特別図柄記憶指定コマンドを受信し、解析して第１液晶表示装置３１に表示させる特図保留画像の表示個数を決定する機能と、をさらに備え、（段落【０４５３】、【０４６２】）
ｇ　演出制御基板１２０は、第１特別図柄保留表示器２３の点灯タイミングと同期させて、２つのＬＥＤからなる第１特別図柄保留表示器５３を点灯させ、第１液晶表示装置３１に特図保留画像を表示させる、（段落【００７８】、【０４６２】、認定事項（１−ｎ））
　遊技機。（段落【００１５】）」
（２−２）刊行物２に記載された事項
　平成３０年１月９日付け拒絶理由通知に刊行物２として引用され、本願の出願日前に頒布された刊行物である特開２０１４−２００２５７号公報（以下「刊行物２」という。）には、図面とともに以下の事項が記載されている（下線は当審で付した。以下同じ。）。
（２−ａ）　「【００１０】
  以下、図面を用いて、本発明の第一の遊技台（例えば、
パチンコ機１００
［実施形態１］
　＜全体構成＞
　まず、図１を用いて、本発明の第１実施形態に係るパチンコ機１００の全体構成について説明する。なお、同図はパチンコ機１００を正面側（遊技者側）から見た外観斜視図である。」
（２−ｂ）　「【０１４５】
　テーブル１〜５の各テーブルは、変動時間と、特図２変動時間決定用乱数値の乱数選択範囲との対応関係が規定されている。また、この図９（ａ）に示す各テーブルには、各変動時間に対応した装飾図柄表示装置２０８における演出態様を表す変動パターンの名称も参考までに示されている。本実施形態では、特図の変動時間と装飾図柄表示装置２０８の演出態様は、１対１に対応付けられている。主制御部３００が、特図の変動時間に対応した装飾図柄表示装置２０８の演出態様まで決定してもよいが、本実施形態では、ここで決定された変動時間を表す情報を、第１副制御部４００に送信し、第１副制御部４００が、変動時間に対応した装飾図柄表示装置２０８における演出態様を決定する。本実施形態では、１０種類の変動パターンが用意されている。これらの変動パターンには、リーチ演出を伴う変動パターンと、リーチ演出を伴わない変動パターンとがある。本実施形態では、
リーチ演出として、ノーマルリーチ、スーパーリーチＡ、およびスーパーリーチＢが用意されている。ノーマルリーチとは、一般に２つの図柄表示領域（例えば、図３に示す左右図柄表示領域２０８ａ、２０８ｃ）が等しい装飾図柄を停止表示し、残りの１つの図柄表示領域（例えば中図柄表示領域２０８ｂ）が変動表示している状態
【０１４６】
　スーパーリーチＡ（以下、単に“リーチＡ”と称する場合がある）やスーパーリーチＢ（以下、単に“リーチＢ”と称する場合がある）は、ノーマルリーチにさらに特殊な変動表示等を加味して演出効果を向上させたリーチの一種である。
【０１４７】
　なお、
スーパーリーチとしては、ロングリーチ、ノーマル逆転リーチ、ダブルラインリーチ等が知られており、
【０１４８】
　特図２決定結果が特図Ａあるいは特図Ｂであった場合（テーブル１参照）には、ともに電サポ付きの１５Ｒの大当り図柄であり、テーブル１に示すように、６５秒の最長変動時間が最も選ばれやすく、１５秒の変動時間が最も選ばれにくい。なお、この場合には、装飾図柄表示装置２０８ではリーチ演出が行われ、装飾図柄表示装置２０８で、スーパーリーチＢに発展すると１５Ｒ大当りの可能性が高くなり、スーパーリーチＡに発展しても１５Ｒ大当りの可能性があることになる。すなわち、
スーパーリーチＢやスーパーリーチＡは１５Ｒ大当りの信頼度が他のリーチ態様よりも高いリーチ態様である。
（２−ｃ）　「【０４７８】
　この図３９に示す例では、装飾図柄表示装置２０８における特図１保留表示領域を図示省略し、特図２保留表示領域のみを示している。
図３９に示す特図２保留表示領域には、ＲＡＭ３０８の特図２保留記憶部に始動情報が記憶された順（入賞順）に古いものから順番に左側から並べて表示される。
・・・
【０４８１】
　図３９（ｂ）では、
第一保留表示２９１
第二保留表示２９２
【０４８２】
　図３９（ｂ）で開始された装飾図柄の変動表示では、
同図（ｃ）に示すようにリーチ演出が開始され、次いで、スーパーリーチ演出に発展する。
スーパーリーチ演出の開始画面として、画面が真っ暗になっている（以下、暗転演出と称する）。この暗転演出が行われると、装飾図柄表示装置２０８にこれまで表示されていた、装飾図柄の変動表示や、保留表示、および消化保留表示領域２０８５総てが見えなくなる。
【０４８３】
　
暗転演出の後
なお、保留表示や消化保留表示領域２０８５は消えている。
【０４８４】
　やがて、図３９（ｆ）に示すように、
スーパーリーチ演出の終了画面が表示され、
なお、この場面でも保留表示や消化保留表示領域２０８５は非表示である。ここで、スーパーリーチ演出が終了する。
　上記（２−ａ）〜（２−ｃ）の記載事項及び図面から、以下（２−ｄ）、（２−ｅ）の事項が導かれる。
（２−ｄ）刊行物２には、「リーチ演出として、ノーマルリーチ、スーパーリーチＡ、およびスーパーリーチＢが用意されている。」（段落【０１４５】）と記載されている。また、刊行物２には、「スーパーリーチとしては、ロングリーチ、ノーマル逆転リーチ、ダブルラインリーチ等が知られており、」（段落【０１４７】）と記載されており、当該記載のスーパーリーチが、スーパーリーチＡ、およびスーパーリーチＢを含むものであることは、明らかである。さらに、刊行物２には、「スーパーリーチＢやスーパーリーチＡは１５Ｒ大当りの信頼度が他のリーチ態様よりも高いリーチ態様である。」（段落【０１４８】）と記載されているから、刊行物１には、リーチ演出として、ノーマルリーチと、大当りの信頼度がノーマルリーチを含む他のリーチ態様よりも高いスーパーリーチとを実行可能である点が記載されているといえる。
　さらに、刊行物２には、「ノーマルリーチとは、一般に２つの図柄表示領域（例えば、図３に示す左右図柄表示領域２０８ａ、２０８ｃ）が等しい装飾図柄を停止表示し、残りの１つの図柄表示領域（例えば中図柄表示領域２０８ｂ）が変動表示している状態」（段落【０１４５】）と記載されているから、刊行物２には、
リーチ演出として、左右図柄表示領域２０８ａ、２０８ｃが等しい装飾図柄を停止表示し、残りの１つの中図柄表示領域２０８ｂが変動表示するノーマルリーチと、大当りの信頼度がノーマルリーチよりも高いスーパーリーチとを実行可能である
（２−ｅ）刊行物２には、「図３９に示す特図２保留表示領域には、ＲＡＭ３０８の特図２保留記憶部に始動情報が記憶された順（入賞順）に古いものから順番に左側から並べて表示される。」（段落【０４７８】）、「同図（ｃ）に示すようにリーチ演出が開始され、次いで、スーパーリーチ演出に発展する。」（段落【０４８２】）と記載されている。
　また、図３９（ｃ）には、画面中央に７、下向きの矢印、７の図柄が表示され、画面の下部に、４つの丸が図示されており、また、図３９（ｂ）には上記４つの丸と同じ位置にいおいて２９１、２９２との符号が図示されており、段落【０４８１】には、「第一保留表示２９１」及び「第二保留表示２９２」との記載があるから、上記図３９（ｃ）の下部の丸が、保留表示を意味することは、明らかである。
　したがって、刊行物２には、リーチ演出が行われ、スーパーリーチ演出に発展する前までにおいては、保留表示がされる点が記載されているといえる。
　また、刊行物２には、「スーパーリーチ演出の開始画面として、画面が真っ暗になっている（以下、暗転演出と称する）。この暗転演出が行われると、装飾図柄表示装置２０８にこれまで表示されていた、装飾図柄の変動表示や、保留表示、および消化保留表示領域２０８５総てが見えなくなる。」（段落【０４８２】）、「暗転演出の後、・・・なお、保留表示や消化保留表示領域２０８５は消えている。」（段落【０４８３】）、「スーパーリーチ演出の終了画面が表示され、・・・なお、この場面でも保留表示や消化保留表示領域２０８５は非表示である。ここで、スーパーリーチ演出が終了する。」（段落【０４８４】）と記載されているから、刊行物２には、スーパーリーチでは、保留表示が消える点が記載されているといえる。
　以上より、刊行物２には、
リーチ演出が行われる時には、保留表示がされ、スーパーリーチに発展すると、保留表示が消える
　上記（２−ａ）〜（２−ｃ）の記載事項及び（２−ｄ）〜（２−ｅ）の認定事項を総合すると、刊行物２には、次の事項が記載されていると認められる（以下「刊行物２記載の事項」という。）。  
「パチンコ機１００において、（段落【００１０】）
　リーチ演出として、左右図柄表示領域２０８ａ、２０８ｃが等しい装飾図柄を停止表示し、残りの１つの中図柄表示領域２０８ｂが変動表示するノーマルリーチと、大当りの信頼度がノーマルリーチよりも高いスーパーリーチとを実行可能であり、（認定事項（２−ｄ））
　リーチ演出が行われる時には、保留表示がされ、スーパーリーチに発展すると、保留表示が消える点。（認定事項（２−ｅ））」
（２−３）刊行物３に記載された事項
　平成３０年１月９日付け拒絶理由通知に刊行物３として引用され、本願の出願日前に頒布された刊行物である特開２００７−２９６１３０号公報（以下「刊行物３」という。）には、図面とともに以下の事項が記載されている（下線は当審で付した。以下同じ。）。
（３−ａ）　「【００２７】
実施の形態１．
　まず、遊技機の一例である
パチンコ遊技機１
（３−ｂ）　「【００３０】
　遊技領域７の中央付近には、各々を識別可能な複数種類の演出用の背景図柄と、各々を識別可能な複数種類の演出用の第１飾り図柄と、各々を識別可能な複数種類の演出用の第２飾り図柄とを可変表示し表示結果を導出表示する可変表示装置９が設置されている。この実施形態では、可変表示装置９は液晶表示装置（ＬＣＤ）で構成されている。
可変表示装置９における表示領域は、
保留記憶（始動記憶または始動入賞記憶ともいう。）数を表示するためのメモリ表示領域（画面下側の領域）９ｄとに分けられている。
（３−ｃ）　「【００４１】
　第１特別図柄表示器８ａの下側には、第１の開始条件の成立していない第１の実行条件の成立数（第１始動入賞口１３に入った有効入賞球数すなわち
保留記憶（始動記憶または始動入賞記憶ともいう。）数）を表示する４つの表示器からなる第１特別図柄保留記憶表示器１８ａ
（３−ｄ）　「【００９０】
　図４は、主基板（遊技制御基板）３１における回路構成の一例を示すブロック図である。なお、図４には、払出制御基板３７および演出制御基板８０等も示されている。
主基板３１には、
遊技制御用マイクロコンピュータ（遊技制御手段に相当）５６０が搭載されている。遊技制御用マイクロコンピュータ５６０は、
ＲＡＭ５５
を含む。
・・・
【００９６】
　
演出制御基板８０は、演出制御用ＣＰＵ１０１およびＲＡＭを含む演出制御用マイクロコンピュータ１００を搭載している。
（３−ｅ）　「【０１２０】
　
タイマ割込が発生すると、
【０１２１】
　次に、ＣＰＵ５６は、
第１特別図柄表示器８ａ、第２特別図柄表示器８ｂ、普通図柄表示器１０、第１特別図柄保留記憶表示器１８ａ、第１特別図柄保留記憶表示器１８ｂおよび普通図柄始動記憶表示器４１の表示制御を行う表示制御処理を実行する（ステップＳ２２）。
・・・
【０１２８】
　また、
ＣＰＵ５６は、保留記憶処理を行う（ステップＳ２９）。
（３−ｆ）　「【０１５３】
　第１保留記憶数が上限値に達していないときは（ステップＳ３１２のＮ）、ＣＰＵ５６は、ソフトウェア乱数（大当り判定用乱数等を生成するためのカウンタの値等）を抽出し、それらを、
抽出した乱数値として第１保留記憶数カウンタの値に対応する第１保留記憶バッファにおける保存領域に格納する
大当り判定用乱数等を生成するためのカウンタや保留記憶バッファは、ＲＡＭ５５に形成されている。
（３−ｇ）　「【０２５２】
  次に、
遊技制御用マイクロコンピュータ５６０が実行する保留記憶処理（ステップＳ２９）について説明する。
【０２５３】
　
第１始動入賞口１３への入賞であったときは（ステップＳ４０１のＹ）、
第１保留記憶数（第１始動入賞記憶数）を指定する演出制御コマンド（第１始動入賞記憶指定コマンド）を演出制御用マイクロコンピュータ１００に送信する（ステップＳ４０４）。
いる場合は（ステップＳ４０２のＹ）、ステップＳ４１２の処理に移行する。」
【０２５４】
　
第２始動入賞口１４への入賞であったときは（ステップＳ４０５のＹ）
第２保留記憶数（第２始動入賞記憶数）を指定する演出制御コマンド（第２始動入賞記憶指定コマンド）を演出制御用マイクロコンピュータ１００に送信する（ステップＳ４０８）。
（３−ｈ）　「【０２８２】
　この実施の形態では、
ＲＡＭ５５の全領域がバックアップ電源によって電源バックアップ（遊技機への電力供給が停止しても所定期間はＲＡＭ５５の内容が保存されこと）されている。
（３−ｉ）　「【０３８３】
　図５３に示すように、第１特別図柄および第２特別図柄の変動の途中で
電源断が発生すると、
その後、電力供給が再開され、所定の復旧条件が成立したときには（ステップＳ６〜Ｓ８）、バックアップＲＡＭ５５の記憶内容にもとづいて遊技状態を電力供給の停止前の状態に復旧するための処理（ステップＳ４１，Ｓ４２）が実行される。
が送信され（ステップＳ５０１）、第１表示結果指定コマンドが送信され（ステップＳ５０３）、第２表示結果指定コマンドが送信される（ステップＳ５０５）。
【０３８４】
　演出制御用マイクロコンピュータ１００は、停電復旧表示指定コマンドを受信すると（ステップＳ５３０のＹ）、可変表示装置９の背景図柄表示領域９ａに停電復旧中画面を表示する（ステップＳ５３１）。このときの表示状態は、図５４（ｂ）に示すように、第１飾り図柄および第２飾り図柄が変動表示され、背景図柄表示領域９ａに「停電復旧中」の文字が表示されている状態である。
・・・
【０３８９】
　図５４（ｂ）〜（ｄ）に示すように、
停電復旧後に直ちにメモリ表示領域９ｄにおいて背景図柄の保留記憶が表示されず、図５４（ｅ）に示すように、停電復旧後における背景図柄の保留記憶数の更新タイミングになったときに背景図柄の保留記憶が表示される。具体的には、後述するように、演出制御用マイクロコンピュータ１００が、停電復旧後に遊技制御用マイクロコンピュータ５６０からの始動入賞記憶指定コマンド（第２始動入賞記憶指定コマンド）を初めて受信すると（ステップＳ５１３のＹ）、そのコマンドにもとづいて背景図柄の保留記憶数を更新表示する
　上記（３−ａ）〜（３−ｉ）の記載事項及び図面から、以下（３−ｊ）〜（３−ｌ）の事項が導かれる。
（３−ｊ）刊行物３には、「主基板３１には、・・・遊技制御用マイクロコンピュータ（遊技制御手段に相当）５６０が搭載されている。遊技制御用マイクロコンピュータ５６０は、・・・ＲＡＭ５５・・・を含む。」（段落【００９０】）、「抽出した乱数値として第１保留記憶数カウンタの値に対応する第１保留記憶バッファにおける保存領域に格納する・・・大当り判定用乱数等を生成するためのカウンタや保留記憶バッファは、ＲＡＭ５５に形成されている。」（段落【０１５３】）、「ＲＡＭ５５の全領域がバックアップ電源によって電源バックアップ（遊技機への電力供給が停止しても所定期間はＲＡＭ５５の内容が保存されこと）されている。」（段落【０２８２】）と記載されているから、刊行物３には、
主基板３１は、バックアップ電源によって電源バックアップされ、大当り判定用乱数等を格納するＲＡＭ５５を備える
（３−ｋ）刊行物３には、「電源断が発生すると、・・・その後、電力供給が再開され、所定の復旧条件が成立したときには（ステップＳ６〜Ｓ８）、バックアップＲＡＭ５５の記憶内容にもとづいて遊技状態を電力供給の停止前の状態に復旧するための処理（ステップＳ４１，Ｓ４２）が実行される。」（段落【０３８３】）と記載されている。また、図６には、Ｓ４２の後、Ｓ４３の遊技状態復旧処理、Ｓ１５のタイマ割り込みの設定を行うフローチャートが図示されており、Ｓ１５のタイマ割り込みの設定後にタイマ割込処理が実行されることは、明らかである。よって、刊行物３には、電源断が発生し、その後、電力供給が再開されると、バックアップＲＡＭ５５の記憶内容にもとづいて遊技状態を電力供給の停止前の状態に復旧するための処理を実行し、タイマ割込の設定を実行し、タイマ割込処理を行う点が記載されているといえる。
　また、刊行物３には、「タイマ割込が発生すると、」（段落【０１２０】）、「第１特別図柄表示器８ａ、第２特別図柄表示器８ｂ、普通図柄表示器１０、第１特別図柄保留記憶表示器１８ａ、第１特別図柄保留記憶表示器１８ｂおよび普通図柄始動記憶表示器４１の表示制御を行う表示制御処理を実行する（ステップＳ２２）。」（段落【０１２１】）、「ＣＰＵ５６は、保留記憶処理を行う（ステップＳ２９）。」（段落【０１２８】）、「遊技制御用マイクロコンピュータ５６０が実行する保留記憶処理（ステップＳ２９）について説明する。」（段落【０２５２】）、「第１始動入賞口１３への入賞であったときは（ステップＳ４０１のＹ）、・・・第１保留記憶数（第１始動入賞記憶数）を指定する演出制御コマンド（第１始動入賞記憶指定コマンド）を演出制御用マイクロコンピュータ１００に送信する（ステップＳ４０４）。」（段落【０２５３】）、「第２始動入賞口１４への入賞であったときは（ステップＳ４０５のＹ）、・・・第２保留記憶数（第２始動入賞記憶数）を指定する演出制御コマンド（第２始動入賞記憶指定コマンド）を演出制御用マイクロコンピュータ１００に送信する（ステップＳ４０８）。」（段落【０２５４】）と記載されているから、刊行物３には、タイマ割込処理において第１特別図柄保留記憶表示器１８ａの表示制御を実行した後、始動口に入賞があると始動入賞記憶指定コマンドを送信する保留記憶処理を行う点が記載されているといえる。さらに、第１特別図柄保留記憶表示器１８ａに関して、「保留記憶（始動記憶または始動入賞記憶ともいう。）数）を表示する４つの表示器からなる第１特別図柄保留記憶表示器１８ａ」（段落【００４１】）と記載されているから、タイマ割込処理において行われる上記第１特別図柄保留記憶表示器１８ａの表示制御が、第１特別図柄保留記憶表示器１８ａへ保留記憶数を表示する制御を意味することは、明らかである。よって、刊行物３には、タイマ割込処理において第１特別図柄保留記憶表示器１８ａに保留記憶数を表示した後、始動口に入賞があると始動入賞記憶指定コマンドを送信する保留記憶処理を行う点が記載されているといえる。
　以上より、刊行物３には、
電源断が発生し、その後、電力供給が再開されると、バックアップＲＡＭ５５の記憶内容にもとづいて遊技状態を電力供給の停止前の状態に復旧するための処理を実行し、第１特別図柄保留記憶表示器１８ａに保留記憶数を表示した後、始動口に入賞があると始動入賞記憶指定コマンドを送信する保留記憶処理を行う
（３−ｌ）刊行物３には、「演出制御基板８０は、演出制御用ＣＰＵ１０１およびＲＡＭを含む演出制御用マイクロコンピュータ１００を搭載している。」（段落【００９６】）、「停電復旧後に直ちにメモリ表示領域９ｄにおいて背景図柄の保留記憶が表示されず、図５４（ｅ）に示すように、停電復旧後における背景図柄の保留記憶数の更新タイミングになったときに背景図柄の保留記憶が表示される。具体的には、後述するように、演出制御用マイクロコンピュータ１００が、停電復旧後に遊技制御用マイクロコンピュータ５６０からの始動入賞記憶指定コマンド（第２始動入賞記憶指定コマンド）を初めて受信すると（ステップＳ５１３のＹ）、そのコマンドにもとづいて背景図柄の保留記憶数を更新表示する」（段落【０３８９】）と記載されており、メモリ表示領域９ｄに関して、段落【００３０】には「可変表示装置９における表示領域は、・・・保留記憶（始動記憶または始動入賞記憶ともいう。）数を表示するためのメモリ表示領域（画面下側の領域）９ｄとに分けられている。」と記載されているから、刊行物３には、
演出制御基板８０は停電復旧後に直ちに可変表示装置９のメモリ表示領域９ｄにおいて保留記憶を表示せず、始動入賞記憶指定コマンドを受信し、保留記憶数の更新タイミングになったときに保留記憶を表示する
　上記（３−ａ）〜（３−ｉ）の記載事項及び（３−ｊ）〜（３−ｌ）の認定事項を総合すると、刊行物３には、次の事項が記載されていると認められる（以下「刊行物３記載の事項」という。）。  
「パチンコ遊技機１において、（段落【００２７】）
　主基板３１は、バックアップ電源によって電源バックアップされ、大当り判定用乱数等を格納するＲＡＭ５５を備え、（認定事項（３−ｊ））
　電源断が発生し、その後、電力供給が再開されると、バックアップＲＡＭ５５の記憶内容にもとづいて遊技状態を電力供給の停止前の状態に復旧するための処理を実行し、第１特別図柄保留記憶表示器１８ａに保留記憶数を表示した後、始動口に入賞があると始動入賞記憶指定コマンドを送信する保留記憶処理を行い、また、演出制御基板８０は停電復旧後に直ちに可変表示装置９のメモリ表示領域９ｄにおいて保留記憶を表示せず、始動入賞記憶指定コマンドを受信することで保留記憶数の更新タイミングになったときに保留記憶を表示する点。（認定事項（３−ｋ）、（３−ｌ））」
（３）対比
　本願補正発明と刊行物１発明とを対比する（下記の（ａ）〜（ｇ）は、刊行物１発明の構成ａ〜ｇに対応している。）。
（ａ）刊行物１発明の「第１始動口検出スイッチ１４ａから検出信号を入力した場合に、第１特別図柄保留数（Ｕ１）記憶領域にセットされているデータが４未満であ」ること、「特別図柄判定用乱数値」、「第０記憶部に記憶された特別図柄判定用乱数値が「大当たり」に対応する乱数値であるかの判定」及び「主制御基板１１０」は、それぞれ、本願補正発明の「始動条件の成立」、「始動情報」、「遊技者に有利な特別遊技を実行するか否かの特別遊技判定」及び「メイン制御手段」に相当する。そして、刊行物１発明において、「主制御基板１１０」の「第１始動口検出スイッチ１４ａから検出信号を入力した場合に、第１特別図柄保留数（Ｕ１）記憶領域にセットされているデータが４未満であれば、特別図柄判定用乱数値を取得して第１特別図柄乱数値記憶領域の第０記憶部〜第４記憶部に記憶」する機能は、本願補正発明の「始動条件の成立を契機に、始動情報を取得する始動情報取得手段」の機能に相当する。
　また、刊行物１発明において、「特図特電処理データが「０」」となり、「特別図柄記憶判定処理において」「シフト」される「特別図柄判定用乱数値」が「第０記憶部に記憶され」ていることは、本願補正発明の「判定条件が成立した」ことに相当する。そして、刊行物１発明において、「主制御基板１１０」の「特図特電処理データが「０」であれば、特別図柄記憶判定処理において、第１記憶部〜第４記憶部に記憶された特別図柄判定用乱数値を１つ前の記憶部にシフトさせ、第０記憶部に記憶された特別図柄判定用乱数値が「大当たり」に対応する乱数値であるかの判定を行う」機能は、本願補正発明の「前記始動情報取得手段により前記始動情報を取得した後、判定条件が成立したことを契機に、当該始動情報に基づいて遊技者に有利な特別遊技を実行するか否かの特別遊技判定を行う特別遊技判定手段」の機能に相当する。
　よって、刊行物１発明の「第１始動口検出スイッチ１４ａから検出信号を入力した場合に、第１特別図柄保留数（Ｕ１）記憶領域にセットされているデータが４未満であれば、特別図柄判定用乱数値を取得して第１特別図柄乱数値記憶領域の第０記憶部〜第４記憶部に記憶し、特図特電処理データが「０」であれば、特別図柄記憶判定処理において、第１記憶部〜第４記憶部に記憶された特別図柄判定用乱数値を１つ前の記憶部にシフトさせ、第０記憶部に記憶された特別図柄判定用乱数値が「大当たり」に対応する乱数値であるかの判定を行う主制御基板１１０」は、本願補正発明の「始動条件の成立を契機に、始動情報を取得する始動情報取得手段と、前記始動情報取得手段により前記始動情報を取得した後、判定条件が成立したことを契機に、当該始動情報に基づいて遊技者に有利な特別遊技を実行するか否かの特別遊技判定を行う特別遊技判定手段とを備えるメイン制御手段」に相当する。
（ｂ）刊行物１発明の「変動パターン指定コマンド」、「演出図柄３８の変動表示」、「第１液晶表示装置３１」及び「演出制御基板１２０」は、それぞれ、本願補正発明の「制御情報」、「変動演出」、「画像表示装置」及び「サブ制御手段」に相当する。
　よって、刊行物１発明の「主制御基板１１０から受信した特別図柄の変動態様を示す変動パターン指定コマンドの内容を解析して変動演出パターンを決定し、変動演出パターンに基づいて演出図柄３８の変動態様を決定し、演出図柄３８の変動表示を行う第１液晶表示装置３１を制御する演出制御基板１２０」は、本願補正発明の「前記メイン制御手段からの制御情報に基づいて、画像表示装置において変動演出を実行するサブ制御手段」に相当する。
　また、刊行物１発明の「遊技機１」は、本願補正発明の「遊技機」に相当する。
（ｃ）刊行物１発明の「第１特別図柄乱数値記憶領域」は、「第１始動口検出スイッチ１４ａから検出信号を入力した場合に、第１特別図柄保留数（Ｕ１）記憶領域にセットされているデータが４未満であれば、取得した特別図柄判定用乱数値を記憶する」ものであるから、データを４個、すなわち所定数まで記憶するものといえる。
　また、刊行物１発明の「第１特別図柄乱数値記憶領域」は、「第１始動口検出スイッチ１４ａから検出信号を入力した場合に、第１特別図柄保留数（Ｕ１）記憶領域にセットされているデータが４未満であれば」（始動条件が成立した場合）、「取得した特別図柄判定用乱数値」（始動情報）がその「第０記憶部〜第４記憶部に記憶」（構成ａ）されるものである。そして、構成ａより、記憶された「特別図柄判定用乱数値」は、「特図特電処理データが「０」」となり、「特別図柄記憶判定処理において」「シフト」されて「第０記憶部に記憶され」たとき（判定条件が成立したとき）に、「「大当たり」に対応する乱数値であるかの判定」に用いられるものであるから、「第１始動口検出スイッチ１４ａから検出信号を入力した場合に、第１特別図柄保留数（Ｕ１）記憶領域にセットされているデータが４未満であ」った（始動条件が成立した）時に、「第０記憶部」に既に他の「特別図柄判定用乱数値」が記憶されており、「第０記憶部」より後の記憶部に「特別図柄判定用乱数値」を記憶した場合（判定条件が成立していない場合）には、当該「特別図柄判定用乱数値」は、「特図特電処理データが「０」」となり、「特別図柄記憶判定処理において」「第０記憶部」に「シフト」されて「「大当たり」に対応する乱数値であるかの判定を行う」ときまで「第１特別図柄乱数値記憶領域」に記憶されることは、明らかである。
　よって、刊行物１発明の「主制御基板１１０」が備える「第１始動口検出スイッチ１４ａから検出信号を入力した場合に、第１特別図柄保留数（Ｕ１）記憶領域にセットされているデータが４未満であれば、取得した特別図柄判定用乱数値を記憶する第１特別図柄乱数値記憶領域」は、本願補正発明の「前記メイン制御手段」が備える「前記始動条件が成立したが前記判定条件が成立していない場合は、前記始動情報取得手段により取得された前記始動情報を保留記憶として所定数まで記憶する第１保留記憶手段」に相当する。
（ｄ）刊行物１発明の「特別図柄記憶指定コマンド」は、「演出制御基板１２０が解析して第１液晶表示装置３１に表示させる特図保留画像の表示個数を決定するための」ものであるから、保留記憶の数に関する情報を含むコマンドであることは、明らかである。よって、刊行物１発明の「演出制御基板１２０が解析して第１液晶表示装置３１に表示させる特図保留画像の表示個数を決定するための特別図柄記憶指定コマンドを演出制御基板１２０に送信する機能」は、本願補正発明の「前記第１保留記憶手段に記憶されている前記保留記憶の数を保留記憶数情報として前記サブ制御手段に送信する保留記憶数情報送信手段」の機能に相当する。
（ｅ）刊行物１発明の「第１特別図柄保留表示器２３」は、本願補正発明の「第１保留表示装置」に相当する。また、刊行物１発明の「記憶された特別図柄判定用乱数値」が、「第１特別図柄乱数値記憶領域」に「記憶」された（構成ｃ）ものであることは明らかであるから、刊行物１発明において、「第１特別図柄保留表示器２３に表示」される「記憶された特別図柄判定用乱数値である第１保留の保留個数」の表示は、本願補正発明における「前記第１保留記憶手段に記憶されている前記保留記憶の数に対応する保留表示」に相当する。　よって、刊行物１発明において「主制御基板１１０は」「記憶された特別図柄判定用乱数値である第１保留の保留個数を、第１特別図柄保留表示器２３に表示させ」ることは、本願補正発明において「前記メイン制御手段は」、「前記第１保留記憶手段に記憶されている前記保留記憶の数に対応する保留表示を第１保留表示装置に表示させ」ることに相当する。
（ｆ）上記（ｄ）より、刊行物１発明の「主制御基板１１０から送信された特別図柄記憶指定コマンド」は、本願補正発明の「前記保留記憶数情報送信手段により送信された前記保留記憶数情報」に相当する。また、刊行物１発明の「特別図柄記憶指定コマンド」を「解析して」「決定」される「特図保留画像の表示個数」の数は、本願補正発明の「前記保留記憶数情報が示す前記保留記憶の数」に相当する。
　よって、刊行物１発明において「演出制御基板１２０は」、「主制御基板１１０から送信された特別図柄記憶指定コマンドを受信し、解析して第１液晶表示装置３１に表示させる特図保留画像の表示個数を決定する機能」を備えることと、本願補正発明の構成Ｆとは、「前記サブ制御手段は」、「前記保留記憶数情報送信手段により送信された前記保留記憶数情報が示す前記保留記憶の数を」用いる手段を備える点で共通する。
（ｇ）刊行物１発明の「第１特別図柄保留表示器５３」は、「第１特別図柄保留表示器２３の点灯タイミングと同期させて」「点灯」されるものであるから、「記憶された特別図柄判定用乱数値である第１保留の保留個数を」「表示」する「第１特別図柄保留表示器２３」（構成ｅ）と同様に保留記憶の数を表示するものであることは明らかである。よって、刊行物１発明の「第１特別図柄保留表示器５３」は、本願補正発明の「保留記憶の数に対応する保留表示」が表示される「第２保留表示装置」に相当する。また、刊行物１発明において「演出制御基板１２０は」、「第１液晶表示装置３１に特図保留画像を表示させる」ことは、本願補正発明において「前記サブ制御手段は」、「保留記憶の数に対応する保留表示を」「前記画像表示装置に表示させ」ることに相当する。
　よって、刊行物１発明の「演出制御基板１２０は、第１特別図柄保留表示器２３の点灯タイミングと同期させて、２つのＬＥＤからなる第１特別図柄保留表示器５３を点灯させ、第１液晶表示装置３１に特図保留画像を表示させる」ことは、本願補正発明の構成Ｇと、「前記サブ制御手段は」、「前記保留記憶の数に対応する保留表示を第２保留表示装置及び前記画像表示装置に表示させ」る点で共通する。
　以上、（ａ）〜（ｇ）の対比より、本願補正発明と刊行物１発明とは、
「Ａ　始動条件の成立を契機に、始動情報を取得する始動情報取得手段と、前記始動情報取得手段により前記始動情報を取得した後、判定条件が成立したことを契機に、当該始動情報に基づいて遊技者に有利な特別遊技を実行するか否かの特別遊技判定を行う特別遊技判定手段とを備えるメイン制御手段と、
Ｂ　前記メイン制御手段からの制御情報に基づいて、画像表示装置において変動演出を実行するサブ制御手段と、を備える遊技機において、
Ｃ　前記メイン制御手段は、
　前記始動条件が成立したが前記判定条件が成立していない場合は、前記始動情報取得手段により取得された前記始動情報を保留記憶として所定数まで記憶する第１保留記憶手段と、
Ｄ　前記第１保留記憶手段に記憶されている前記保留記憶の数を保留記憶数情報として前記サブ制御手段に送信する保留記憶数情報送信手段と、をさらに備え、
Ｅ　前記第１保留記憶手段に記憶されている前記保留記憶の数に対応する保留表示を第１保留表示装置に表示させ、
Ｆ’前記サブ制御手段は、
　前記保留記憶数情報送信手段により送信された前記保留記憶数情報が示す前記保留記憶の数を用いる手段と、をさらに備え、
Ｇ’前記保留記憶の数に対応する保留表示を第２保留表示装置及び前記画像表示装置に表示させる、遊技機。」
である点で一致し、以下の点で相違する。
（相違点１）
　本願補正発明は、「前記サブ制御手段は」、「前記保留記憶数情報送信手段により送信された前記保留記憶数情報が示す前記保留記憶の数を記憶する第２保留記憶手段と、をさらに備え」（構成Ｆ）ると特定され、また、「前記第２保留記憶手段に記憶されている前記保留記憶の数に対応する保留表示を第２保留表示装置及び前記画像表示装置に表示させ」（構成Ｇ）ると特定されているのに対し、刊行物１発明は「第２保留記憶手段」を備え、「第２保留記憶手段」に記憶されている保留記憶の数に対応する保留表示を「第１特別図柄保留表示器５３」（第２保留表示装置）及び「第１液晶表示装置３１」（画像表示装置）に表示させるとは特定されていない点。
（相違点２）
　本願補正発明は、「前記サブ制御手段は」、「前記変動演出において、前記特別遊技判定の判定結果が前記特別遊技を実行するとの判定結果である可能性があることを示唆する第１リーチ演出と、当該第１リーチ演出よりも前記特別遊技判定の判定結果が前記特別遊技を実行するとの判定結果である可能性が高いことを示唆する第２リーチ演出を実行可能であり」（構成Ｈ）、「前記変動演出において前記第２リーチ演出が行われているときは前記画像表示装置に表示させている前記保留表示の表示を規制するが、前記第２保留表示装置に表示させている前記保留表示の表示を規制しない一方」（構成Ｉ）、「前記変動演出において前記第１リーチ演出が行われているときは前記画像表示装置及び前記第２保留表示装置に表示させている前記保留表示の表示を規制」（構成Ｊ）しないと特定されているのに対し、刊行物１発明はそのように特定されていない点。
（相違点３）
　本願補正発明は、「前記画像表示装置に表示させている前記保留表示を前記特別遊技判定の判定結果が前記特別遊技を実行するとの判定結果である可能性があることを示唆する特定表示態様に変化することがある一方」（構成Ｋ）、「前記画像表示装置に表示させている前記保留表示を前記特定表示態様に変化させた場合であっても、前記第２保留表示装置に表示させている前記保留表示の表示態様は変化させることがな」（構成Ｌ）いと特定されているのに対し、刊行物１発明はそのように特定されていない点。
（相違点４）
　本願補正発明は、「バックアップ電源が供給されている前記第１保留記憶手段に前記保留記憶が記憶されているときに前記遊技機への電力の供給が停止されてから当該遊技機への電力の供給が再開された場合、前記メイン制御手段によって前記第１保留表示装置に前記保留表示が表示された後に、前記保留表示を前記画像表示装置に表示させる」（構成Ｍ）と特定されているのに対し、刊行物１発明はそのように特定されていない点。
（４）判断
ア　相違点１について
　上記相違点１について検討する。
　刊行物１発明の「演出制御基板１２０」は、「主制御基板１１０から送信された特別図柄記憶指定コマンドを解析して第１液晶表示装置３１に表示させる特図保留画像の表示個数を決定する機能」（構成ｆ）を有するものであり、また、「表示個数を決定」してから、「第１液晶表示装置３１に表示させる」ために用いるまでの間、決定した表示個数の値が、処理プログラム上の変数としてなど何らかの形で記憶されることは当業者にとって自明であるから、刊行物１発明の「演出制御基板１２０」が、決定した「特図保留画像の表示個数」（保留記憶の数）を前記記憶するための第２保留記憶手段を備えることは、当業者にとって自明である。また、刊行物１発明において「第１特別図柄保留表示器２３の点灯タイミングと同期させて、２つのＬＥＤからなる第１特別図柄保留表示器５３を点灯させ、第１液晶表示装置３１に特図保留画像を表示させる」（構成ｇ）際にも、前記「第１液晶表示装置３１」への「特図保留画像」の「表示」と同様に、前記「表示個数を決定」して得た後に記憶された表示個数の値の情報が必要であることは明らかであるから、第２保留記憶手段に記憶されている「特図保留画像の表示個数」の情報を用いることとし、上記相違点１に係る本願補正発明の構成とすることは、当業者が容易に想到し得たことである。
イ　相違点２について
　上記相違点２について検討する。
　上記（２）（２−２）で示した通り、刊行物２には、次の事項（刊行物２記載の事項）が記載されていると認められる。
「パチンコ機１００において、
　リーチ演出として、左右図柄表示領域２０８ａ、２０８ｃが等しい装飾図柄を停止表示し、残りの１つの中図柄表示領域２０８ｂが変動表示するノーマルリーチと、大当りの信頼度がノーマルリーチよりも高いスーパーリーチとを実行可能であり、
　リーチ演出が行われる時には、保留表示がされ、スーパーリーチに発展すると、保留表示が消える点。」
　刊行物２記載の事項において、「左右図柄表示領域２０８ａ、２０８ｃが等しい装飾図柄を停止表示し、残りの１つの中図柄表示領域２０８ｂが変動表示するノーマルリーチ」が実行された際には、「大当り」となる可能性があることは明らかであるから、「左右図柄表示領域２０８ａ、２０８ｃが等しい装飾図柄を停止表示し、残りの１つの中図柄表示領域２０８ｂが変動表示するノーマルリーチ」は、本願発明の「前記特別遊技判定の判定結果が前記特別遊技を実行するとの判定結果である可能性があることを示唆する第１リーチ演出」に対応するといえる。また、刊行物２記載の事項の「大当りの信頼度がノーマルリーチよりも高いスーパーリーチ」は、本願発明の「当該第１リーチ演出よりも前記特別遊技判定の判定結果が前記特別遊技を実行するとの判定結果である可能性が高いことを示唆する第２リーチ演出」に対応するといえる。
　また、刊行物２記載の事項は、「リーチ演出が行われる時には、保留表示がされ、スーパーリーチに発展すると、保留表示が消える」ものであるから、「ノーマルリーチ」は「保留表示がされ」る、すなわち保留表示の表示を規制しないものであり、「スーパーリーチ」は「保留表示が消える」、すなわち保留表示の表示が規制されるものといえる。
　そして、刊行物１発明と刊行物２記載の事項とは、画像表示装置において保留表示を表示する点で共通するものであり、刊行物１発明において、リーチ演出による興趣の向上を図るために刊行物２記載の事項を適用し、変動演出において、特別遊技判定の判定結果が特別遊技を実行するとの判定結果である可能性があることを示唆する第１リーチ演出と、当該第１リーチ演出よりも特別遊技判定の判定結果が特別遊技を実行するとの判定結果である可能性が高いことを示唆する第２リーチ演出を実行可能であり、変動演出において第２リーチ演出が行われているときは、画像表示装置に表示させている保留表示の表示を規制するし、変動演出において第１リーチ演出が行われているときは画像表示装置に表示させている保留表示の表示を規制しないものとすることは、当業者が容易に想到し得たことである。
　また、刊行物１発明の「第１特別図柄保留表示器５３」は、演出が行われる「第１液晶表示装置３１」とは別体のものであるし、「第１特別図柄保留表示器２３の点灯タイミングと同期させて」「点灯」されることのみが特定されるものであり、刊行物１には、「第１液晶表示装置３１」の演出に応じてその点灯形態を変化させることを示唆する記載もないから、少なくとも刊行物１発明には、リーチ演出の際に「第１特別図柄保留表示器５３」の保留表示を点灯したままとする態様が含まれると言える。そして、第１リーチ演出及び第２リーチ演出を行う際にも、当該保留表示を点灯したままとする態様を選択し、「第１特別図柄保留表示器５３」（第２保留表示装置）に表示させている保留表示の表示を規制しない構成とすることは、当業者が適宜になし得る事項にすぎない。
　よって、刊行物１発明に刊行物２記載の事項を適用し、上記相違点２に係る本願補正発明の構成とすることは、当業者が容易に想到し得たことである。
ウ　相違点３について
　上記相違点３について検討する。
　遊技機において、画像表示装置に表示させている保留表示を特別遊技判定の判定結果が特別遊技を実行するとの判定結果である可能性があることを示唆する特定表示態様に変化させることは、周知技術に過ぎない（刊行物２（段落【０２２２】、【０２２９】）、特開２０１０−１６２３５７号公報（段落【０２４４】）、特開２０１２−２４２７０号公報（段落【０１１６】、【０１２１】）等参照）。
　そして、刊行物１発明と上記周知技術とは、画像表示装置に保留表示を表示させる点で共通するものであるから、刊行物１発明において上記周知技術を適用し、「第１液晶表示装置３１」（画像表示装置）に「表示させる」「特図保留画像」（保留表示）を、特別遊技判定の判定結果が特別遊技を実行するとの判定結果である可能性があることを示唆する特定表示態様に変化させるものとすることは、当業者が容易に想到し得たことである。
　また、刊行物１には「第１特別図柄保留表示器５３」に表示させている保留表示の表示態様を「大当たり」である可能性があることを示唆する態様に変化させる旨を示唆する記載はないし、刊行物１発明の「第１特別図柄保留表示器５３」は「２つのＬＥＤからなる」ものであって、４つの各保留表示ごとに複数の表示態様による表示を行い得るものとはなっていないことを考慮すれば、「第１液晶表示装置３１」に「表示させる」「特図保留画像」を、特別遊技判定の判定結果が特別遊技を実行するとの判定結果である可能性があることを示唆する特定表示態様に変化させるものとした際には、「第１特別図柄保留表示器５３」（第２保留表示装置）に表示させている保留表示の表示態様は変化させることがないものとする構成を、刊行物１発明は実質的に備えるといえる。
　また、仮にそのようにいえないとしても、「第１液晶表示装置３１」に既に特定表示態様として各保留毎の特別遊技を実行する可能性の情報を表示していることに加えて、あえて「第１特別図柄保留表示器５３」において同様の情報を重複して表示しないようにすることは、当業者が適宜選択し得ることにすぎない。
　よって、刊行物１発明に上記周知技術を適用し、上記相違点３に係る本願補正発明の構成とすることは、当業者が容易に想到し得たことである。
エ　相違点４について
　上記相違点４について検討する。
　上記（２）（２−３）で示した通り、刊行物３には、次の事項（刊行物３記載の事項）が記載されていると認められる。
「パチンコ遊技機１において、
　主基板３１は、バックアップ電源によって電源バックアップされ、大当り判定用乱数等を格納するＲＡＭ５５を備え、
　電源断が発生し、その後、電力供給が再開されると、バックアップＲＡＭ５５の記憶内容にもとづいて遊技状態を電力供給の停止前の状態に復旧するための処理を実行し、第１特別図柄保留記憶表示器１８ａに保留記憶数を表示した後、始動口に入賞があると始動入賞記憶指定コマンドを送信する保留記憶処理を行い、また、演出制御基板８０は停電復旧後に直ちに可変表示装置９のメモリ表示領域９ｄにおいて保留記憶を表示せず、始動入賞記憶指定コマンドを受信することで保留記憶数の更新タイミングになったときに保留記憶を表示する点。」
　刊行物３記載の事項の「主基板３１」、「バックアップ電源によって電源バックアップされ、大当り判定用乱数等を格納するＲＡＭ５５」、「電源断が発生し、その後、電力供給が再開される」こと、「第１特別図柄保留記憶表示器１８ａ」、「演出制御基板８０」及び「可変表示装置９」は、それぞれ、本願補正発明の「メイン制御手段」、「バックアップ電源が供給されている前記第１保留記憶手段」、「前記遊技機への電力の供給が停止されてから当該遊技機への電力の供給が再開され」ること、「第１保留表示装置」、「サブ制御手段」及び「画像表示装置」に対応するものといえる。
　また、刊行物３記載の事項の「主基板３１」は、「電源断が発生し、その後、電力供給が再開されると」、「第１特別図柄保留記憶表示器１８ａに保留記憶数を表示した後、始動口に入賞があると始動入賞記憶指定コマンドを送信する保留記憶処理を行」うものであり、また、「演出制御基板８０は停電復旧後に直ちに可変表示装置９のメモリ表示領域９ｄにおいて保留記憶を表示せず」、さらに、「第１特別図柄保留記憶表示器１８ａに保留記憶数を表示した後」に「始動口に入賞があると」「送信」されるものである「始動入賞記憶指定コマンドを受信することで保留記憶数の更新タイミングになったときに保留記憶を表示する」ものであるから、「電源断が発生し、その後、電力供給が再開され」る際には、「主基板３１」によって「第１特別図柄保留記憶表示器１８ａに保留記憶数を表示」した後に、「演出制御基板８０」は「可変表示装置９のメモリ表示領域９ｄにおいて」「保留記憶を表示する」といえる。
　よって、刊行物３記載の事項は、本願補正発明の「バックアップ電源が供給されている前記第１保留記憶手段に前記保留記憶が記憶されているときに前記遊技機への電力の供給が停止されてから当該遊技機への電力の供給が再開された場合、前記メイン制御手段によって前記第１保留表示装置に前記保留表示が表示された後に、前記保留表示を前記画像表示装置に表示させる」との事項に対応する構成を有しているといえる。
　そして、刊行物１発明と刊行物３記載の事項とは、遊技機において、第１保留表示装置と画像表示装置とにおいて保留表示を表示する点で共通するものであり、また、電力の供給の再開時における制御を設定しておくことは、一般的に行われることであるから、刊行物１発明において、電力の供給が停止されてから電力供給が再開された際の制御に関して刊行物３記載の事項を適用し、上記相違点４に係る本願補正発明の構成とすることは、当業者が容易に想到し得たことである。
（５）請求人の主張について
　請求人は、平成３０年３月５日付けの意見書の【意見の内容】、「２．［３］（４）」において、「ここで、相違点について検討すると、・・・次に、刊行物２、及び、刊行物３には、本願発明の第２保留表示装置に相当する装置の記載がありません。・・・刊行物１に上記刊行物２の記載を適用したとしても、刊行物２には第２保留表示装置に相当する装置の記載がないので、スーパーリーチが実行されているとき第２保留表示装置の保留表示を規制しないとは容易に想到し得ないと思料致します。
　寧ろ、刊行物２では、スーパーリーチが実行されているとき保留表示を消去しているので、刊行物１に上記刊行物２の記載を適用すると、第２保留表示装置の保留表示も消去すると想到すると思料致します。」との主張をしている。
　しかしながら、上記（４）イで示したとおり、刊行物１発明に刊行物２記載の事項を適用した際に、第２保留表示装置の保留表示を規制しないことは、当業者が容易に想到し得たことであるから、請求人の上記主張は採用することができない。
（６）まとめ
　以上のように、本願補正発明は、当業者が刊行物１発明、刊行物２記載の事項、刊行物３記載の事項及び周知技術に基づいて容易に発明をすることができたものであるから、特許法第２９条第２項の規定により、特許出願の際独立して特許を受けることができない。
４ 補正却下の決定についてのむすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は上記のとおり却下されたので、本願の請求項に係る発明は、平成２９年１２月１３日付けの手続補正書により補正された特許請求の範囲に記載されたとおりのものであり、その請求項１に係る発明（以下「本願発明」という。）は次のとおりである（Ａ〜Ｍは、分説するために当審にて付した。）。
「【請求項１】
Ａ　始動条件の成立を契機に、始動情報を取得する始動情報取得手段と、前記始動情報取得手段により前記始動情報を取得した後、判定条件が成立したことを契機に、当該始動情報に基づいて遊技者に有利な特別遊技を実行するか否かの特別遊技判定を行う特別遊技判定手段とを備えるメイン制御手段と、
Ｂ　前記メイン制御手段からの制御情報に基づいて、画像表示装置において変動演出を実行するサブ制御手段と、を備える遊技機において、
Ｃ　前記メイン制御手段は、
　前記始動条件が成立したが前記判定条件が成立していない場合は、前記始動情報取得手段により取得された前記始動情報を保留記憶として所定数まで記憶する第１保留記憶手段と、
Ｄ　前記第１保留記憶手段に記憶されている前記保留記憶の数を保留記憶数情報として前記サブ制御手段に送信する保留記憶数情報送信手段と、をさらに備え、
Ｅ　前記第１保留記憶手段に記憶されている前記保留記憶の数に対応する保留表示を第１保留表示装置に表示させ、
Ｆ　前記サブ制御手段は、
　前記保留記憶数情報送信手段により送信された前記保留記憶数情報が示す前記保留記憶の数を記憶する第２保留記憶手段と、をさらに備え、
Ｇ　前記第２保留記憶手段に記憶されている前記保留記憶の数に対応する保留表示を第２保留表示装置及び前記画像表示装置に表示させ、
Ｈ　前記変動演出において、前記特別遊技判定の判定結果が前記特別遊技を実行するとの判定結果である可能性があることを示唆する第１リーチ演出と、当該第１リーチ演出よりも前記特別遊技判定の判定結果が前記特別遊技を実行するとの判定結果である可能性が高いことを示唆する第２リーチ演出を実行可能であり、
Ｉ”前記変動演出において前記第２リーチ演出が行われる場合、当該第２リーチ演出が行われているときは前記画像表示装置に表示させている前記保留表示の表示を規制し、
Ｊ”前記変動演出において前記第１リーチ演出が行われる場合、当該第１リーチ演出が行われているときは前記画像表示装置に表示させている前記保留表示の表示を規制せず、
Ｋ　前記画像表示装置に表示させている前記保留表示を前記特別遊技判定の判定結果が前記特別遊技を実行するとの判定結果である可能性があることを示唆する特定表示態様に変化することがある一方、
Ｌ　前記画像表示装置に表示させている前記保留表示を前記特定表示態様に変化させた場合であっても、前記第２保留表示装置に表示させている前記保留表示の表示態様は変化させることがなく、
Ｍ　バックアップ電源が供給されている前記第１保留記憶手段に前記保留記憶が記憶されているときに前記遊技機への電力の供給が停止されてから当該遊技機への電力の供給が再開された場合、前記メイン制御手段によって前記第１保留表示装置に前記保留表示が表示された後に、前記保留表示を前記画像表示装置に表示させる、
　ことを特徴とする遊技機。」
２　拒絶理由通知の概要
　平成３０年１月９日付け拒絶理由通知は、本願発明は、当業者が特開２０１５−１７２号公報（刊行物１）に記載された発明、特開２０１４−２００２５７号公報（刊行物２）に記載された事項、特開２００７−２９６１３０号公報（刊行物３）に記載された事項及び周知技術に基づいて容易に発明をすることができたものであるから、特許法第２９条第２項の規定により特許を受けることができないというものである。
３　刊行物
　刊行物１及びその記載事項並びに刊行物１発明、刊行物２及びその記載事項並びに刊行物２記載の事項、刊行物３及びその記載事項並びに刊行物３記載の事項は、それぞれ、上記「第２　３（２）（２−１）」、「第２　３（２）（２−２）」、「第２　３（２）（２−３）」に記載したとおりである。
４　対比・判断
　本願発明は、本願補正発明を特定するために必要な事項である「前記変動演出において前記第２リーチ演出が行われているときは前記画像表示装置に表示させている前記保留表示の表示を規制するが、前記第２保留表示装置に表示させている前記保留表示の表示を規制しない」との事項に関して、「前記第２リーチ演出が行われているときは」「前記第２保留表示装置に表示させている前記保留表示の表示を規制しない」との限定を実質的に省き、「前記変動演出において前記第２リーチ演出が行われる場合、当該第２リーチ演出が行われているときは前記画像表示装置に表示させている前記保留表示の表示を規制」するとし、また、本願補正発明を特定するために必要な事項である「前記変動演出において前記第１リーチ演出が行われているときは前記画像表示装置及び前記第２保留表示装置に表示させている前記保留表示の表示を規制」しないとの事項に関して、「前記第１リーチ演出が行われているときは」「前記第２保留表示装置に表示させている前記保留表示の表示を規制」しないとの限定を実質的に省き、「前記変動演出において前記第１リーチ演出が行われる場合、当該第１リーチ演出が行われているときは前記画像表示装置に表示させている前記保留表示の表示を規制」しないとしたものである。
　そうすると，本願発明の発明特定事項をすべて含み、さらに、他の発明特定事項を付加したものに相当する本願補正発明が、上記「第２　３（４）」に記載したとおり、刊行物１発明、刊行物２記載の事項、刊行物３記載の事項及び周知技術に基づいて当業者が容易に発明できたものであることから、本願発明も、同様の理由により当業者が容易に発明をすることができたものである。
　したがって、本願発明は当業者が刊行物１発明、刊行物２記載の事項、刊行物３記載の事項及び周知技術に基づいて容易に発明をすることができたものである。
５　むすび
　以上のとおりであるから、本願発明は、特許法第２９条第２項の規定により特許を受けることができない。
　したがって、本願は、拒絶されるべきものである。
　よって、結論のとおり審決する。